(57)【要約】  撮影者の撮影意図を反映したコントラストで画像を表示可能にする。透過型表示パネル（ＬＣＤパネル１６ａ）と、透過型表示パネルの背面に配設されたＢＬＤ（バックライトローカルディミング）を実行可能なバックライトユニット１６ｂと、取得された画像ファイルのタグ情報を解析するタグ情報解析部３４と、タグ情報解析部３４による画像ファイルのタグ情報の解析結果に基づいて、ＢＬＤを実行すると判定した場合には、画像ファイルの画像の分割された画像エリアごとの輝度を検出し、その検出された画像エリアごとの輝度に基づいて、バックライトユニット１６ｂの分割された発光エリアごとにバックライト輝度を設定し、ＢＬＤを非実行にすると判定した場合には画像ファイルの画像の全体でバックライト輝度を均一にする制御を行うバックライト制御信号生成部２８を備えた。
2013140958.tif 000002
【特許請求の範囲】
【請求項１】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、
を備えた画像表示装置。
【請求項２】
前記タグ情報解析手段は、前記画像ファイル取得手段によって取得された前記画像ファイルの前記タグ情報に、前記バックライトユニットの前記バックライトローカルディミングを実行するか非実行にするかを示す制御情報が存在するか否かを判定し、
前記制御手段は、前記画像ファイルの前記タグ情報に前記バックライトローカルディミングの前記制御情報が存在し、かつ、該制御情報が前記バックライトローカルディミングの実行を示す場合には、前記画像ファイルの前記画像の前記画像エリアごとの輝度を検出して前記バックライトローカルディミングを実行し、前記画像ファイルの前記タグ情報に前記バックライトローカルディミングの前記制御情報が存在し、かつ、該制御情報が前記バックライトローカルディミングの非実行を示す場合には、前記画像ファイルの前記画像の全体でバックライト輝度を均一にする制御を行う請求項１に記載の画像表示装置。
【請求項３】
前記タグ情報解析手段は、前記画像ファイル取得手段によって取得された前記画像ファイルの前記タグ情報から、前記撮影装置にて前記画像の撮影時に選択されていた撮影モードの情報を抽出し、
前記制御手段は、前記画像ファイルの前記タグ情報に前記バックライトローカルディミングの前記制御情報が存在しない場合、前記タグ情報解析手段によって抽出された前記撮影モードの情報に基づいて、前記バックライトローカルディミングを実行するか非実行にするかを切り替える制御を行う請求項２に記載の画像表示装置。
【請求項４】
前記タグ情報解析手段は、前記画像ファイル取得手段によって取得された前記画像ファイルの前記タグ情報から、前記撮影装置にて前記画像の撮影時に選択されていた撮影モードの情報を抽出し、
前記制御手段は、前記タグ情報解析手段によって抽出された前記撮影モードの情報に基づいて、前記バックライトローカルディミングを実行するか非実行にするかを切り替える請求項１に記載の画像表示装置。
【請求項５】
前記画像ファイルの前記画像は、第１の撮影画像と、前記第１の撮影画像に対して低感度または低露光で撮影された第２の画像とにより生成された広ダイナミックレンジの画像であって、前記撮影モード情報は、前記画像のダイナミックレンジの拡大の程度または前記画像が前記広ダイナミックレンジの画像であるか否かを示すダイナミックレンジ拡大情報であり、
前記制御手段は、前記ダイナミックレンジ拡大情報に基づいて、前記バックライトローカルディミングを実行するか否かを切り替える請求項３または４に記載の画像表示装置。
【請求項６】
前記撮影モード情報は、前記撮影装置で撮影時に選択された撮影シーンまたは露出制御を示すシーンポジション情報を含み、
前記制御手段は、前記シーンポジション情報に基づいて、前記バックライトローカルディミングを実行するか否かを切り替える請求項３から５のいずれか１項に記載の画像表示装置。
【請求項７】
前記タグ情報解析手段は、前記画像ファイルの前記タグ情報から、前記バックライトローカルディミングを実行するときの前記バックライトユニットの全発光エリアにおけるバックライト輝度の平均を示す情報を抽出し、
前記制御手段は、前記タグ情報解析手段によって抽出された前記バックライト輝度の平均を示す情報に応じて、前記バックライトユニットの全発光エリアにおける平均輝度を制御する請求項１ないし６のいずれか１項に記載の画像表示装置。
【請求項８】
前記制御手段は、前記画像ファイルの前記タグ情報に前記バックライト輝度の平均値を示す情報が存在しない場合、前記撮影装置にて撮影時に選択されていた撮影モードの情報に応じて、前記バックライトユニットの全発光エリアにおける平均輝度を制御する請求項７に記載の画像表示装置。
【請求項９】
前記タグ情報解析手段は、前記画像ファイルの前記タグ情報から、前記バックライトローカルディミングを実行するときのコントラスト拡大の程度を示す情報を抽出し、
前記制御手段は、前記画像ファイルの前記タグ情報から抽出された前記コントラスト拡大の程度を示す情報に基づいて、前記バックライトユニットの最大のバックライト輝度と最小のバックライト輝度との差を制御する請求項７または８に記載の画像表示装置。
【請求項１０】
前記制御手段は、前記画像ファイルの前記タグ情報に前記コントラスト拡大の程度を示す情報が存在しない場合、前記撮影装置にて撮影時に選択された撮影モードの情報に応じて、前記バックライトユニットの最大のバックライト輝度と最小のバックライト輝度との差を制御する請求項９に記載の画像表示装置。
【請求項１１】
請求項１から１０のいずれか１項に記載の画像表示装置及び前記撮影装置を含む画像表示システム。
【請求項１２】
請求項１１に記載の画像表示システムを構成する前記撮影装置であって、
撮影指示の入力を受け付ける操作手段と、
前記撮影指示が入力されると被写体を撮影して前記画像を生成する撮影手段と、
前記被写体の撮影時の撮影条件に基づいて、前記バックライトユニットの前記バックライトローカルディミングを実行するか非実行にするかを判定して前記制御情報を生成し、該制御情報を含む前記タグ情報を前記画像に付加し、前記画像及び前記タグ情報を含む前記画像ファイルを記録媒体に記録する記録手段と、
を備えた撮影装置。
【請求項１３】
撮影装置にて生成された画像と、前記撮影装置にて前記画像に付加されたタグ情報とを含む画像ファイルを取得する画像ファイル取得手段と、前記画像ファイル取得手段によって取得された前記画像ファイルの前記画像を表示する透過型表示パネルと、前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、を用いて行う画像表示方法であって、
前記画像ファイル取得手段によって取得された前記画像ファイルの前記タグ情報を解析するタグ情報解析ステップと、
前記画像ファイルの前記タグ情報の解析結果に基づいて、前記バックライトユニットの前記バックライトローカルディミングを実行するか非実行にするかを判定するステップと、
前記バックライトローカルディミングを実行すると判定した場合には、前記画像ファイルの前記画像の前記発光エリアに対応して分割された画像エリアごとの輝度を検出するステップと、
検出された前記画像エリアごとの輝度に基づいて、前記バックライトユニットの分割された前記発光エリアごとに前記バックライト輝度を設定するステップと、
前記バックライトローカルディミングを非実行にすると判定した場合には、前記画像ファイルの前記画像の全体でバックライト輝度を均一にするステップと、
を備えた画像表示方法。
【発明の詳細な説明】
【技術分野】
【０００１】
本発明は画像表示装置、撮影装置、画像表示システム及び方法に係り、特に透過型表示パネルのバックライト輝度を制御する技術に関する。
【背景技術】
【０００２】
特許文献１には、液晶パネルの後面へ光を照射するバックライトユニットにおいて、複数の光源領域を有し、各光源領域別に部分駆動されるＬＥＤ光源部と、ＬＥＤ光源部の各光源領域間に配置された隔壁と、ＬＥＤ光源部を駆動する回路部とを含むバックライトユニットが開示されている。【０００３】
特許文献２には、入力画像信号に基づいて、表示エリアごとにピーク輝度値を算出し、算出された表示エリアごとのピーク輝度値に応じて、バックライトの明るさを表示エリアごとに制御する構成が開示されている。【０００４】
特許文献３には、Ｅｘｉｆ（Exchangeable image file format）規格に対応した画像ファイルのタグ領域から、撮影時のシャッタスピード及び絞り値を示す情報を読み出し、読み出した情報に基づいて撮影環境の明るさを導出し、その撮影環境の明るさに対応した光度でバックライトを発光させる構成が開示されている。【０００５】
特許文献４には、外光照度と表示画像の輝度とを検出し、検出された外光照度と表示画像の輝度とに基づいて、表示装置の表示輝度を制御する構成が開示されている。
【先行技術文献】
【特許文献】
【０００６】
【特許文献１】特開２００７−２８６６２７号公報
【特許文献２】特開２００７−２７９３９５号公報
【特許文献３】特開２００７−９６９５０号公報
【特許文献４】特開２００７−３３４０３４号公報
【発明の概要】
【発明が解決しようとする課題】
【０００７】
しかしながら、画像表示装置側で、画像信号の解析結果や画像表示時の環境光の測定結果に基づいて、ＢＬＤ（バックライトローカルディミング）を実行するだけでは、撮影者の撮影意図に沿ったコントラストで表示されないという課題がある。【０００８】
特許文献１、２に記載の発明では、画像表示装置側で、画像信号の解析結果や画像表示時の環境光の測定結果に基づいて、ＢＬＤを実行するだけなので、撮影者の撮影意図に沿ったコントラストで表示されない。【０００９】
特許文献３、４に記載の発明では、ＢＬＤを実行しておらず、コントラストを撮影条件に応じて切り替えるこができない。【００１０】
本発明はこのような事情に鑑みてなされたもので、撮影者の撮影意図を反映したコントラストで画像を表示可能な画像表示装置、撮影装置、画像表示システム及び方法を提供することを目的とする。
【課題を解決するための手段】
【００１１】
前記目的を達成するために、本発明は、撮影装置にて生成された画像と、撮影装置にて画像に付加されたタグ情報とを含む画像ファイルを取得する画像ファイル取得手段と、画像ファイル取得手段によって取得された画像ファイルの画像を表示する透過型表示パネルと、透過型表示パネルの背面に配設されたバックライトユニットであって、複数の発光エリアに分割され、該分割された発光エリアごとに透過型表示パネルに対するバックライト輝度を設定するバックライトローカルディミングを実行可能なバックライトユニットと、画像ファイル取得手段によって取得された画像ファイルのタグ情報を解析するタグ情報解析手段と、タグ情報解析手段による画像ファイルのタグ情報の解析結果に基づいて、バックライトユニットのバックライトローカルディミングを実行するか非実行にするかを判定し、バックライトローカルディミングを実行すると判定した場合には、画像ファイルの画像の前記発光エリアに対応して分割された画像エリアごとの輝度を検出し、該検出された画像エリアごとの輝度に基づいて、バックライトユニットの分割された発光エリアごとにバックライト輝度を設定し、バックライトローカルディミングを非実行にすると判定した場合には画像ファイルの画像の全体でバックライト輝度を均一にする制御を行う制御手段と、を備えた画像表示装置を提供する。【００１２】
即ち、撮影装置にて画像に付加されたタグ情報を解析し、そのタグ情報の解析結果に基づいて、ＢＬＤ（バックライトローカルディミング）を実行するか非実行にするかを切り替えるので、画像表示装置で画像信号を解析した結果に基づいてＢＬＤの実行及び非実行を切り替える場合と比較して、撮影者の撮影意図を反映したコントラストで画像を表示することが可能になる。【００１３】
一実施形態では、タグ情報解析手段は、画像ファイル取得手段によって取得された画像ファイルのタグ情報に、バックライトユニットのバックライトローカルディミングを実行するか非実行にするかを示す制御情報が存在するか否かを判定し、制御手段は、画像ファイルのタグ情報にバックライトローカルディミングの制御情報が存在し、かつ、制御情報がバックライトローカルディミングの実行を示す場合には、画像ファイルの画像の画像エリアごとの輝度を検出してバックライトローカルディミングを実行し、画像ファイルのタグ情報にバックライトローカルディミングの制御情報が存在し、かつ、制御情報がバックライトローカルディミングの非実行を示す場合には、画像ファイルの画像の全体でバックライト輝度を均一にする制御を行う。即ち、撮影装置側で決定したＢＬＤの実行及び非実行に従って、画像表示装置側でＢＬＤの実行及び非実行を切り替えるので、確実に撮影者の撮影意図を反映したコントラストで画像を表示することができる。【００１４】
一実施形態では、タグ情報解析手段は、画像ファイル取得手段によって取得された画像ファイルのタグ情報から、撮影装置にて画像の撮影時に選択されていた撮影モードの情報を抽出し、制御手段は、画像ファイルのタグ情報にバックライトローカルディミングの制御情報が存在しない場合、タグ情報解析手段によって抽出された撮影モードの情報に基づいて、バックライトローカルディミングを実行するか非実行にするかを切り替える制御を行う。即ち、撮影装置側でＢＬＤの実行及び非実行を決定してタグ情報に書き込む機能を有している場合には、確実に撮影者の撮影意図を反映したコントラストで画像を表示することができ、撮影装置側でＢＬＤの実行及び非実行を決定してタグ情報に書き込む機能を有していない場合でも、できる限り撮影者の撮影意図を反映したコントラストで画像を表示することができる。【００１５】
一実施形態では、タグ情報解析手段は、画像ファイルのタグ情報から、撮影装置にて画像の撮影時に選択されていた撮影モードの情報を抽出し、制御手段は、タグ情報解析手段によって抽出された撮影モードの情報に基づいて、バックライトローカルディミングを実行するか非実行にするかを切り替える。【００１６】
一実施形態では、画像ファイルの画像は、第１の撮影画像と、第１の撮影画像に対して低感度または低露光で撮影された第２の画像とにより生成された広ダイナミックレンジの画像であって、撮影モード情報は、画像のダイナミックレンジの拡大の程度または画像が広ダイナミックレンジの画像であるか否かを示すダイナミックレンジ拡大情報であり、制御手段は、ダイナミックレンジ拡大情報に基づいて、バックライトローカルディミングを実行するか否かを切り替える。例えば、ＤＲ（ダイナミックレンジ）の設定が４００％（通常の４倍）の場合は、ＢＬＤをオンし、局部的にバックライト輝度を変調させるコントラストを拡大することで、メリハリのある画調にすることができる。逆に、ＤＲの設定が１００％（通常）の場合は、ＢＬＤをオフし、画像の全体でバックライト輝度を均一にすることで、もともとの画像の階調を優先させた画調にすることができる。【００１７】
一実施形態では、撮影モード情報は、撮影装置で撮影時に選択された撮影シーンまたは露出制御を示すシーンポジション情報を含み、制御手段は、シーンポジション情報に基づいて、バックライトローカルディミングを実行するか否かを切り替える。即ち、明るい部分や暗い部分を際立たせることができる。【００１８】
一実施形態では、タグ情報解析手段は、画像ファイルのタグ情報から、バックライトローカルディミングを実行するときのバックライトユニットの全発光エリアにおけるバックライト輝度の平均を示す情報を抽出し、制御手段は、タグ情報解析手段によって抽出されたバックライト輝度の平均を示す情報に応じて、バックライトユニットの全発光エリアにおける平均輝度を制御する。即ち、より細かいレベルで意図を反映できる。【００１９】
一実施形態では、制御手段は、画像ファイルのタグ情報にバックライト輝度の平均値を示す情報が存在しない場合、撮影装置にて撮影時に選択されていた撮影モードの情報に応じて、バックライトユニットの全発光エリアにおける平均輝度を制御する。即ち、撮影装置側でバックライト輝度の平均値を示す情報をタグ情報に書き込む機能を有していない場合でも、より細かいレベルで意図を反映できる。【００２０】
一実施形態では、タグ情報解析手段は、画像ファイルのタグ情報から、バックライトローカルディミングを実行するときのコントラスト拡大の程度を示す情報を抽出し、制御手段は、画像ファイルのタグ情報から抽出されたコントラスト拡大の程度を示す情報に基づいて、バックライトユニットの最大のバックライト輝度と最小のバックライト輝度との差を制御する。即ち、より細かいレベルで意図を反映できる。【００２１】
一実施形態では、制御手段は、画像ファイルのタグ情報にコントラスト拡大の程度を示す情報が存在しない場合、撮影装置にて撮影時に選択された撮影モードの情報に応じて、バックライトユニットの最大のバックライト輝度と最小のバックライト輝度との差を制御する。即ち、撮影装置側でコントラスト拡大の程度を示す情報をタグ情報に書き込む機能を有していない場合でも、より細かいレベルで意図を反映できる。【００２２】
また、本発明は、上記の画像表示装置及び撮影装置を含む画像表示システムを提供する。【００２３】
また、本発明は、上記の画像表示システムを構成する撮影装置であって、撮影指示の入力を受け付ける操作手段と、撮影指示が入力されると被写体を撮影して画像を生成する撮影手段と、被写体の撮影時の撮影条件に基づいて、バックライトユニットのバックライトローカルディミングを実行するか非実行にするかを判定して制御情報を生成し、制御情報を含むタグ情報を画像に付加し、画像及びタグ情報を含む画像ファイルを記録媒体に記録する記録手段と、を備えた撮影装置を提供する。
【発明の効果】
【００２４】
本発明によれば、撮影者の撮影意図を反映したコントラストで画像を表示可能にすることができる。
【図面の簡単な説明】
【００２５】
【図１】本発明に係る画像表示装置の実施の形態を示すブロック図
【図２】図１に示した液晶表示部の説明図
【図３】撮影を行うデジタルカメラと、画像表示装置の要部を示すブロック図
【図４】画像ファイルの一例を示す説明図
【図５】本発明に係る画像表示方法の一例の全体の流れを示すフローチャート
【図６】人物撮影モードの説明に用いる説明図
【図７】風景撮影モードの説明に用いる説明図
【図８】バックライトローカルディミングの非実行時と実行時との相違の説明に用いる説明図
【図９】デジタルカメラの一例を示すブロック図
【図１０】撮影処理の一例の流れを示すフローチャート
【図１１】本発明に係る携帯型電子機器の他の実施形態であるスマートフォンの外観図
【図１２】上記スマートフォンの構成を示すブロック図
【発明を実施するための形態】
【００２６】
以下、添付図面に従って、本発明の実施形態について、詳細に説明する。
【００２７】
［画像表示装置の構成］
図１は本発明に係る画像表示装置の実施の形態を示すブロック図であり、図２は図１に示した液晶表示部の説明図である。
【００２８】
図１に示す画像表示装置１は、バックライトローカルディミング（ＢＬＤ）機能を備えたディスプレイであり、主として中央処理装置（ＣＰＵ）１０、メモリ１２、操作部１４、液晶（ＬＣＤ）表示部１６（ＬＣＤパネル１６ａ（透過型表示パネル）、バックライトユニット（ＬＥＤアレイ）１６ｂ）、映像信号生成部２０、ＬＣＤ画質パラメータ生成部２２、ＬＣＤ制御部２４、ＬＣＤ駆動部２６、バックライト制御信号生成部２８（制御手段）、発光ダイオード（ＬＥＤ）ドライバ３０、画像ストレージ３２、及びタグ情報解析部３４（タグ情報解析手段）から構成されている。
【００２９】
ＣＰＵ１０は、操作部１４からの入力に基づき所定の制御プログラムに従って画像表示装置１の全体の動作を統括制御する。ＣＰＵ１０は、画像ファイル取得手段として、画像ストレージ３２に保存された画像ファイルを取得する。ＣＰＵ１０は、画像ファイルに格納された圧縮画像データ（例えば、ＪＰＥＧ圧縮された画像データ）を伸張し、伸張した画像データを取得する。
【００３０】
メモリ１２（記憶手段）は、揮発性メモリであるＳＤＲＡＭや、書き換え可能な不揮発性メモリであるＥＥＰＲＯＭ等を含む。ＳＤＲＡＭは、ＣＰＵ１０による制御プログラムの実行時におけるワークエリアとして、また、再生する画像データを一時保持する記憶エリアとして使用される。一方、ＥＥＰＲＯＭには、制御プログラム、ＢＬＤ制御に使用するテーブル又は計算式、各種のパラメータ等が記憶されている。
【００３１】
ＬＣＤ表示部１６は、主として透過型のＬＣＤパネル１６ａと、バックライトユニット１６ｂとから構成されている。図２に示すように、バックライトユニット１６ｂは、ＬＣＤパネル１６ａの背面に配設され、ＬＣＤパネル１６ａとバックライトユニット１６ｂとの間には拡散板１６ｃが配設されている。また、バックライトユニット１６ｂは、仕切り板１６ｄによって複数のＬＥＤセグメント１６ｅ（発光エリア）に分割され、分割されたＬＥＤセグメント１６ｅ毎に１つのＬＥＤ１６ｆが配列されたＬＥＤアレイから構成されている。複数のＬＥＤ１６ｆは、ＬＥＤドライバ３０と接続され、独立して駆動可能である。これによって、ＬＥＤ１６ｆごとに任意の輝度で発光させることが可能である。ＬＥＤ１６ｆの周りに設置された仕切り板１６ｄによって、周囲への光の漏れ込みを防いでいる。ＬＥＤ１６ｆのアレイからなるバックライトユニット１６ｂを、拡散板１６ｃと組み合わせて用いることにより、ＬＥＤ１６ｆからのバックライトが拡散され、ムラが抑制される。このように、バックライトユニット１６ｂは、分割されたＬＥＤセグメント１６ｅ毎にＬＣＤパネル１６ａに対する発光輝度（バックライト輝度）を個別に設定するＢＬＤ（バックライトローカルディミング）を実行可能である。
【００３２】
映像信号生成部２０は、メモリ１２に一時的に記憶された画像データをＬＣＤパネル１６ａに表示するための映像信号に変換し、また、ＬＣＤ表示部１６のガンマ特性に応じたガンマ補正（逆ガンマ補正）を行い、これをＬＣＤ制御部２４に出力する。ＬＣＤ制御部２４の他の入力には、ＬＣＤ画質パラメータ生成部２２から画質調整用のパラメータ（例えば、明るさ等）を入力しており、ＬＣＤ制御部２４は、映像信号生成部２０から入力する映像信号及びＬＣＤ画質パラメータ生成部２２から入力するパラメータに基づいてＬＣＤ駆動部２６を制御する。ＬＣＤ駆動部２６は、ＬＣＤ制御部２４から加えられる映像信号に対応する制御信号によりＬＣＤパネル１６ａを駆動し、ＬＣＤ素子（表示素子）毎にその透過率を制御する。
【００３３】
一方、バックライト制御信号生成部２８は、バックライトユニット１６ｂの各ＬＥＤセグメント１６ｅに対応する複数の画素を抽出する画素抽出機能（抽出手段）、及びバックライトローカルディミング（ＢＬＤ）制御機能等を含む。バックライト制御信号生成部２８は、ＬＣＤ表示部１６に再生表示させる画像、及びタグ情報解析部３４により解析されるタグ情報に基づいて、各ＬＥＤセグメント１６ｅの輝度を制御するためのバックライト制御信号を生成する。尚、バックライト制御信号生成部２８の詳細については後述する。
【００３４】
ＬＥＤドライバ３０は、バックライト制御信号生成部２８から与えられるバックライト制御信号により、バックライトユニット１６ｂのＬＥＤセグメント１６ｅを個別に駆動し、各ＬＥＤセグメント１６ｅからそれぞれバックライトを発光させる。尚、本例では、ひとつのＬＥＤセグメント１６ｅの発光を、ひとつのＬＥＤ１６ｆによって行っているが、ひとつのＬＥＤセグメント１６ｅの発光を複数のＬＥＤ１６ｆによって行ってもよい。
【００３５】
画像ストレージ３２は、例えば、メモリカード、ハードディスク装置などにより構成され、ＬＣＤ表示部１６に表示するための静止画又は動画の画像ファイルを格納する。尚、画像ストレージ３２は、装置に内蔵されたものに限らず、インターフェースを介して接続されるメモリカード等の外部記録媒体でもよい。
【００３６】
タグ情報解析部３４は、画像ストレージ３２から表示用に取得された画像ファイルからタグ情報を抽出し、この抽出したタグ情報をバックライト制御信号生成部２８に出力する。
【００３７】
図１に示したように、画像表示装置１は、後述のデジタルカメラ（図３の５０）にて生成された画像とデジタルカメラ５０にて画像に付加されたタグ情報とを含む画像ファイルを取得するＣＰＵ１０（画像ファイル取得手段）と、取得された画像ファイルの画像を表示するＬＣＤパネル１６ａ（透過型表示パネル）と、複数の発光エリアに分割され、分割された発光エリアごとにＬＣＤパネル１６ａに対するバックライト輝度を設定するＢＬＤ（バックライトローカルディミング）を実行可能なバックライトユニット１６ｂと、取得された画像ファイルのタグ情報を解析するタグ情報解析部３４（タグ情報解析手段）と、タグ情報解析部３４による画像ファイルのタグ情報の解析結果に基づいて、バックライトユニット１６ｂのＢＬＤを実行するか非実行にするかを判定し、ＢＬＤを実行すると判定した場合には、画像ファイルの画像の分割された画像エリア（画像の全エリアをバックライトユニット１６ｂの発光エリアに対応して分割したエリア）ごとの輝度を検出し、検出された画像エリアごとの輝度に基づいて、バックライトユニット１６ｂの分割された発光エリアごとにバックライト輝度を設定し、ＢＬＤを非実行にすると判定した場合には画像ファイルの画像の全体でバックライト輝度を均一にする制御を行うバックライト制御信号生成部２８（制御手段）を備える。タグ解析結果に基づくＢＬＤを実行するか否かの判定の具体例については、後に詳説する。
【００３８】
［広ＤＲ画像］
次に、本発明に係る画像処理方法が適用される広ＤＲ画像について説明する。
【００３９】
図３は、広ＤＲ画像を含む画像を撮像して記録するデジタルカメラ５０と、広ＤＲ画像等を表示する画像表示装置１とを備えた画像表示システムを示すブロック図である。尚、図３では、画像表示装置１及びデジタルカメラ５０のそれぞれ要部のみを示した。
【００４０】
図３において、デジタルカメラ５０は、感度の異なる２種類のフォトダイオード群、又は感度は同じであるが、露出時間が個別に制御可能な２種類のフォトダイオード群を有する撮像素子を備えた撮像部５２を有する。撮像部５２は、広ＤＲ撮像時に感度の高い画素（以下、「主画素」という）と、感度の低い画素（以下、「副画素」という）を同時に出力する。ここで、主画素からなる画像（高感度画像）は、標準（通常）の明るさの画像であり、副画素からなる画像（低感度画像）は、露出アンダーの画像である。低感度画像は、感度の異なる２種類のフォトダイオード群を有する撮像素子の場合には、感度の低いフォトダイオード群から得られる画像であり、感度が同じ２つのフォトダイオード群を有する撮像素子の場合には、標準の明るさの画像を得る露光時間に比べて、露光時間の短いフォトダイオード群から得られる画像である。
【００４１】
撮像部５０から出力される主画素及び副画素の画像データは、それぞれＯＢ補正部５４ａ、５４ｂにより光学的黒領域（オプティカルブラック（ＯＢ）領域）の信号成分が除去され、ホワイトバランス（ＷＢ）補正部５６ａ，５６ｂによりホワイトバランス補正された後、ダイナミックレンジ（ＤＲ）合成部５８に加えられる。
【００４２】
ＤＲ合成部５８に加えられる高感度画像及び低感度画像のＲＡＷデータは、それぞれ１４ビットデータ（0〜16383）とする。また、高感度画像と低感度画像との感度比は、ｎ：１（ｎ＞１）とする。即ち、低感度画像は、高感度画像に対して感度比が１／ｎとなっている。
【００４３】
これらの高感度画像と低感度画像とを広ＤＲ合成する場合には、高感度画像を１／ｎに圧縮し、低輝度部と高輝度部との境界を示す所定の閾値Ｓ１以下の画素は、高感度画像の画素を使用し、閾値Ｓ１を超える画素は、低感度画像の画素を使用する。尚、閾値Ｓ１を超え、かつ高感度画像が飽和するまでの画素としては、高感度画像の画素と低感度画像の画素とを適宜の比率で混合してもよい。また、高感度画像を１／ｎに圧縮することにより、ノイズ成分も１／ｎに圧縮することができ、低感度画像のみを使用する場合に比べて高画質にすることができる。
【００４４】
尚、広ＤＲ（ダイナミックレンジ）画像は、例えば、標準感度のフォトダイオード群で撮像された画像（第１の撮影画像）と、標準感度のフォトダイオード群よりも低感度のフォトダイオード群で撮影された画像（第２の撮影画像）との合成により生成してもよいし、感度が同じ２つのフォトダイオード群を撮像部５２が有する場合には、標準露光の画像（第１の撮影画像）と、標準露光の画像に対して露光時間の短い低露光で撮影された画像（第２の撮影画像）との合成により生成してもよい。
【００４５】
ＤＲ合成部５８により合成された広ＤＲ画像は、ガンマ補正部６０によりガンマ補正が行われる。ガンマ補正部６０は、通常の画像（高感度画像）に対するガンマ補正と同じガンマ補正を行う。また、このガンマ補正時に１４ビットデータから８ビットデータ（0255）に変換される。
【００４６】
ガンマ補正部６０によりガンマ補正された広ＤＲ画像は、続いてゲイン補正部６２によりゲイン補正が行われる。広ＤＲ画像は、前述したように通常の画像の１／ｎの感度になっているため、低感度部が暗くなっている。ゲイン補正部６２は、広ＤＲ画像の低感度部を含む中間調が大きくなるようにゲイン補正を行う。即ち、閾値Ｓ１に対応する高感度画像の値Ｒ１のガンマ補正後の値をＤ１とすると、広ＤＲ画像のガンマ補正及びゲイン補正された値が、Ｄ１になるようにゲイン補正を行う。
【００４７】
広ＤＲ画像は、低輝度部の階調に比べて高輝度部の階調が抑圧されていることが分かる。
【００４８】
ゲイン補正部６２によりゲイン補正された広ＤＲ画像は、図示しない同時化処理部で同時化処理された後、ＹＣ処理部６４により輝度信号Ｙと色差信号Ｃｒ、Ｃｂに変化され、JPEG方式に従って圧縮され、図示しないカメラの記録メディア等に記録される。
【００４９】
図３に示したデジタルカメラ５０は、ガンマ補正部６０とゲイン補正部６２とを有しているが、これらの階調変換を１つの補正部にて行うようにしてもよい。
【００５０】
［ＢＬＤ制御］
次に、本発明に係る画像表示装置１のＢＬＤ(バックライトローカルディミング)制御について説明する。
【００５１】
図３において、上記のようにして撮像された広ＤＲ画像を取得すると、その広ＤＲ画像に基づいてＬＣＤデータＣ(i,j)が生成するとともに、バックライト制御信号生成部２８のＢＬＤアルゴリズムにしたがってＬＥＤデータＥ(m,n)（バックライト制御信号）が生成される。ＬＣＤデータＣ(i,j)は、ゲイン補正及びＬＣＤ表示部１６のガンマ特性による逆ガンマ補正等が行われ、ＬＣＤパネル１６ａに加えられる。これにより、ＬＣＤパネル１６ａの各表示素子は、広ＤＲ画像に対応した透過率になるように制御される。
【００５２】
また、バックライトユニット１８の各ＬＥＤセグメントは、ＬＥＤデータＥ(m,n)により発光輝度が制御される。
【００５３】
例えば輝度が閾値を超える高輝度の画像エリアに対応するＬＥＤセグメント（発光エリア）に対しては、通常のバックライト輝度よりも高くなるようにＢＬＤ制御する。これにより、記録画像の高輝度部を伸張することができ、撮影シーンをより忠実に表示再現することができる。例えば、通常の画像の表示輝度の最大値を、例えば２５０ｃｄ／ｍ２とした場合に、広ＤＲ画像の表示輝度の最大値を、例えば７５０ｃｄ／ｍ２にすると、ＤＲを３倍に拡大して表示することができる。
【００５４】
尚、高輝度部は、低輝度部と同様に被写体輝度に比例して線形に変化させてもよいし、表示輝度の最大値が制限されている場合には、その最大値と被写体輝度の最大値とが一致するように折れ線、又は曲線に沿って変化させるようにしてもよい。
【００５５】
［画像ファイル］
図４は、画像ファイルの一例を示す説明図である。本例の画像ファイルは、ヘッダ（タグ情報）と画像とからなる。画像は、撮影を行うデジタルカメラ５０にて生成された画像データである。ヘッダは、デジタルカメラ５０にて画像に付加されたタグ情報からなる。タグ情報には、シーンポジション、ＤＲ（ダイナミックレンジ）拡大率、ＢＬＤ制御タグ、平均輝度、コントラスト拡大情報などが含まれる。
【００５６】
シーンポジションは、デジタルカメラ５０にて画像の撮影時に選択されていたモード（撮影モード）であって、撮影者が撮影しようとした撮影シーンに対応している。デジタルカメラ５０では、一般に、シーンポジションごとに、露出制御を異ならせている。シーンポジションは、「露出制御モード」ともいう。シーンポジションの例としては、人物撮影モード、風景撮影モードなどがある。
【００５７】
ＤＲ拡大率（ＤＲ拡大情報）は、デジタルカメラ５０にて生成された画像がダイナミックレンジを拡大した画像（広ＤＲ画像）であるか否かを示すと共に、ダイナミックレンジの拡大の程度を示す。ダイナミックレンジを拡大した画像（広ＤＲ画像）である場合、ＤＲ拡大率は、１００％よりも大きい（例えば２００％、４００％等）。ダイナミックレンジを拡大していない画像（非広ＤＲ画像）である場合、ＤＲ拡大率は１００％である。
【００５８】
ＢＬＤ制御タグは、バックライトローカルディミングを実行するか非実行とするかを示す制御情報である。
【００５９】
平均輝度は、バックライトユニット１６ｂでバックライトローカルディミングを実行するときのバックライトユニット１６ｂの全発光エリアにおけるバックライト輝度の平均を示す情報である。
【００６０】
コントラスト拡大率は、バックライトユニット１６ｂでバックライトローカルディミングを実行するときのコントラスト拡大の程度を示す情報である。
【００６１】
［画像表示方法］
次に、本発明に係る画像表示方法について説明する。
【００６２】
図５は本発明に係る画像表示方法の一例の全体の流れを示すフローチャートである。本処理は、図１のＣＰＵ１０によって、プログラムに従い、実行される。
【００６３】
図５において、画像ストレージ３２に記憶されている複数の画像ファイルの中から、操作部１４によって所望の画像ファイルが選択されると、その選択された画像ファイルを画像ストレージ３２から取得する（ステップＳ１０）。即ち、画像ファイルがメモリ１２に一時的に記憶される。尚、画像ファイルの全てをメモリ１２に記憶する必要はなく、例えば、まずヘッダのみをメモリ１２にコピーし、必要に応じて必要な分だけメモリ１２にコピーしてもよい。次に、タグ情報解析部３４によって、取得された画像ファイルのタグ情報が解析され（ステップＳ１２）、画像ファイルのヘッダ（タグ情報）に、ＢＬＤ制御タグが存在するか否かが判定される（ステップＳ１４）。
【００６４】
画像ファイルのヘッダ（タグ情報）にＢＬＤ制御タグが存在する場合には、タグ情報解析部３４によって、ＢＬＤ制御タグがオンであるか否かを判定する（ステップＳ１６）。即ち、タグ情報内のＢＬＤ制御タグによって、オン（ＢＬＤ実行）及びオフ（ＢＬＤ非実行）のいずれが示されているかを判定する。
【００６５】
画像ファイルのタグ情報にＢＬＤ制御タグが存在し（ステップＳ１４でＹｅｓ）、そのＢＬＤ制御タグがオン（ＢＬＤ実行）である場合（ステップＳ１６でＹeｓ）、バックライト制御信号生成部２８によって、ステップＳ１８〜Ｓ２４の制御を実行する。
【００６６】
まず、バックライト制御信号生成部２８は、図２に示したバックライトユニット１６ｂの複数のＬＥＤセグメント１６ｅ（発光エリア）の各々に対応する画像の複数の画像エリアごとに、平均輝度を算出する（ステップＳ１８）。バックライトユニット１６ｂがＭ×Ｎ個（Ｍ，Ｎは２以上の整数）のＬＥＤセグメント１６ｅに分割されている場合、画像をＭ×Ｎ個の画像エリアに分割し、分割された画像エリアごとに、各画像エリア内の輝度値の平均値（エリア別平均輝度）を算出する。
【００６７】
次に、バックライト制御信号生成部２８は、画像ファイルのタグ情報に、平均輝度及びコントラスト拡大情報が存在するか否かを判定する（ステップＳ２０）。平均輝度は、バックライトユニット１６ｂの全発光エリア（Ｍ×Ｎ個のＬＥＤセグメントの全て）におけるバックライト輝度の平均値を示す。また、コントラスト拡大情報は、バックライトローカルディミングを行う際のコントラスト拡大の程度を示す。
【００６８】
次に、バックライト制御信号生成部２８は、ステップＳ１８で算出された画像エリア別の平均輝度と、全画像エリアの平均輝度を示すタグ情報内の平均輝度と、コントラスト拡大情報とに応じて、各ＬＥＤ１６ｅのＬＥＤデータＥ（m,n）を決定する（ステップＳ２２）。即ち、各ＬＥＤ１６ｅの駆動電流を決定する。
【００６９】
画像ファイルのタグ情報に「バックライト平均輝度」及び「コントラスト拡大率」の情報が存在しない場合（ステップＳ２０でＮｏの場合）、ステップＳ１８で算出されたエリア別の平均輝度に応じて、各ＬＥＤデータＥ（m,n）を算出する（ステップＳ２４）。即ち、各ＬＥＤ１６ｅの駆動電流を決定する。
【００７０】
このようにして算出したＬＥＤデータＥ(m,n)によりＬＥＤセグメント(m,n)のバックライト輝度Ｅを制御することにより、実際の撮影シーンを忠実に表示再現することができる。
【００７１】
次に、画像ファイルのヘッダにＢＬＤ制御タグ（バックライトローカルディミング制御情報）が存在しない場合の処理について、説明する。
【００７２】
ステップＳ１４でＮｏの場合（画像ファイルのヘッダにＢＬＤタグが無い場合）、バックライト制御信号生成部２８は、画像ファイルのヘッダの撮影モードの情報に応じて、ＢＬＤを実行するかしないかを切り替える（ステップＳ２８〜Ｓ３０）。
【００７３】
まず、デジタルカメラ５０で撮影時に選択されたシーンポジションがＢＬＤ不要な特定のシーンポジションであるか否かを判定する（ステップＳ２８）。シーンポジションは、撮影者またはデジタルカメラ５０が選択した撮影シーン（または露出制御）を示す。例えば、特定のシーンポジションとしての人物撮影モードが撮影時に選択されていた場合、バックライト制御信号生成部２８は、ＢＬＤを実行しないと判定する。
【００７４】
例えば、人物撮影モード（被写体として人物を撮影する際に人物に適した露出制御を行うモードである）が撮影装置５０で撮影時に選択された場合には、ＢＬＤ（バックライトローカルディミング）を実行しない（非実行）と決定する。
【００７５】
次に、撮影装置５０で撮影時にＤＲ（ダイナミックレンジ）拡大が行われたか否かを判定する（ステップＳ３０）。ＤＲ拡大では、高感度撮像された画像と低感度撮像された画像とにより広ダイナミックレンジの画像が生成される。本例では、撮影装置５０でＤＲ拡大が行われた場合、ダイナミックレンジの拡大の程度（本例ではＤＲ拡大率）を示すＤＲ拡大タグ（ダイナミックレンジ拡大情報）が画像ファイルのヘッダに存在するので、バックライト制御信号生成部２８は、ＤＲ拡大タグに基づいて、ＤＲ拡大率が２００％以上であればＢＬＤ実行と決定し、ＤＲ拡大率が１００％であればＢＬＤ非実行と決定する。
【００７６】
ステップＳ２８〜Ｓ３０にてＢＬＤ実行と決定された場合（ステップＳ２８でＮｏかつステップＳ３０でＹｅｓの場合）には、ステップＳ１８〜Ｓ２４のＢＬＤ制御が行われ、ＢＬＤ非実行と決定された場合（ステップＳ２８でＹｅｓまたはステップＳ３０でＮｏの場合）には、ＢＬＤ制御を行わない（ステップＳ２６）。
【００７７】
図６に示すように人物が撮影されている場合、ＢＬＤによってコントラスト拡大を行うと、所謂「硬調な画」になってしまう。特に、ＤＲレンジ非拡大（ＤＲ拡大率＝１００％）で撮影された画像は、所定ビット（例えば８ｂｉｔ）の階調内に適切に被写体輝度が割り当てられているため、ＢＬＤ（バックライトローカルディミング）非実行でも、適切な階調で表示される。もしも、ＢＬＤを実行して表示すると、人物の肌色は、一般に、コントラストが上がると、適正であった色がずれてしまう。
【００７８】
例えば、風景撮影モード（被写体として風景を撮影する際に風景に適した露出制御を行うモードである）が撮影装置５０で撮影時に選択された場合、ＢＬＤ（バックライトローカルディミング）を実行すると決定する。
【００７９】
図７に示すような風景は、青空、樹木などの色が比較的高彩度であり、かつ明暗差が激しい場合が多い。よって、撮影装置５０によって、ＤＲ（ダイナミックレンジ）を拡大して撮影が行われた頻度が高い。即ち、ＤＲレンジ非拡大（ＤＲ拡大率＝１００％）の撮影では白トビもしくは黒つぶれしてしまうシーンでも、ＤＲ拡大（例えばＤＲ拡大率＝４００％）の撮影により、所定ビット（例えば８ｂｉｔ）の被写体輝度の圧縮が行われるので、画像全体の階調が失われない。しかし、ＤＲ拡大で撮影された風景画像を画像表示装置１でＢＬＤ非実行のまま表示すると、撮影装置５０でのＤＲ拡大によって輝度圧縮が行われているので、所謂「軟調な画」になってしまう。そこで、撮影装置５０にて撮影時に風景撮影モードが選択された場合（またはＤＲ拡大で撮影された場合）には、画像表示装置１でＢＬＤを実行することで、適正な階調で画像を表示することができる。
【００８０】
以上のように、タグ情報解析部３４は、取得された画像ファイルのタグ情報に、バックライトユニット１６ｂのＢＬＤを実行するか非実行にするかを示すＢＬＤ制御タグ（制御情報）が存在するか否かを判定し、バックライト制御信号生成部２８（制御手段）は、画像ファイルのタグ情報にＢＬＤ制御タグが存在し、かつ、ＢＬＤ制御タグがＢＬＤの実行を示す場合には、画像ファイルの画像の分割された画像エリアごとの輝度を検出してＢＬＤを実行し、画像ファイルのタグ情報にＢＬＤ制御タグが存在し、かつ、ＢＬＤ制御タグがＢＬＤの非実行を示す場合には、画像ファイルの画像の全体でバックライト輝度を均一にする制御を行う。また、タグ情報解析部３４は、取得された画像ファイルのタグ情報から、デジタルカメラ５０にて画像の撮影時に選択されていた撮影モードの情報を抽出し、バックライト制御信号生成部２８は、画像ファイルのタグ情報にＢＬＤの制御情報が存在しない場合、タグ情報解析部３４によって抽出された撮影モードの情報に基づいて、ＢＬＤを実行するか非実行にするかを切り替える制御を行う。また、タグ情報解析部３４は、画像ファイルのタグ情報から、ＢＬＤを実行するときのバックライトユニット１６ｂの全発光エリアにおけるバックライト輝度の平均を示す情報（平均輝度）と、ＢＬＤを実行するときのコントラスト拡大の程度を示す情報（コントラスト拡大情報）とを抽出し、バックライト制御信号生成部２８は、タグ情報解析部３４によって抽出された上記の平均輝度とコントラスト拡大情報とに応じて、バックライトユニット１６ｂのバックライト輝度を制御する。
【００８１】
尚、図５では、ＢＬＤ制御タグに基づいてＢＬＤ制御を行う場合を示したが、ステップＳ１４及びＳ１６を省略して、ステップＳ２８及びＳ３０を行う場合も、本発明に含まれる。また、図５では、撮影モードに基づいてＢＬＤ制御を行う場合を示したが、ステップＳ２８及びステップＳ３０を省略する場合も、本発明に含まれる。
【００８２】
図８は、ＢＬＤ：ＯＦＦ（バックライトローカルディミングの非実行時）と、ＢＬＤ：ＯＮ（バックライトローカルディミングの実行時）との相違を示す。
【００８３】
図８において、ＢＬＤ：ＯＦＦの場合は、バックライト制御信号生成部２８によって、画像の全体でバックライト輝度を均一にする。一方、ＢＬＤ：ＯＮの場合は、画像の分割された画像エリアごとの輝度を検出し、検出された画像エリアごとの輝度に基づいて、バックライトユニット１６ｂの発光エリア（ＬＥＤセグメント）ごとにバックライト輝度を設定する。また、ＢＬＤ：ＯＮの場合には、輝度が閾値よりも高い画像エリア（図中の画像のうち月や建物が表示されるエリア）に対応した発光エリアは、バックライト輝度を高くし、輝度が閾値よりも低い画像エリア（図中の画像のうち暗いエリア）に対応した発光エリアは、バックライト輝度を低くした。
【００８４】
図９は、図３に示したデジタルカメラ５０の全体構成例を示したブロック図である。尚、図９において、図１に示した画像表示装置１の構成要素と同じ機能を有するものには、図１の画像表示装置１の構成要素と同じ符号を付してある。
【００８５】
図９において、撮影部７２は、図３に示した撮像部５２、ＯＢ補正部５４ａ、５４ｂ、ＷＢ補正部５６ａ，５６ｂ、ＤＲ合成部５８、ガンマ補正部６０、ゲイン補正部６２及びＹＣ処理部６４を含んで構成される。
【００８６】
本例の操作部１４は、撮影指示の入力の受け付けも行う。
【００８７】
撮影部７２は、操作部１４に撮影指示が入力されると、被写体を撮影して画像を生成する。
【００８８】
記録制御部７４は、被写体の撮影時の撮影条件に基づいて、バックライトユニット１６ｂのバックライトローカルディミングを実行するか非実行とするかを示すＢＬＤ制御タグを生成し、ＢＬＤ制御タグを含むタグ情報を画像に付加し、画像及びタグ情報を含む画像ファイルを画像ストレージに記録する。
【００８９】
図１０は、図９のデジタルカメラ５０における撮影処理の一例の全体の流れを示すフローチャートである。本処理は、ＣＰＵ１０によって、プログラムに従い、実行される。以下、図１０を用いて、カメラ側制御処理について、説明する。
【００９０】
まず、操作部１４に撮影指示が入力されると、撮影部７２で被写体を撮影して画像を生成する（ステップＳ５０）。生成された画像は、一時的にメモリ１２に格納される。
【００９１】
次に、撮影時に選択されていたシーンポジションがＢＬＤ不要な特定のシーンポジションであるか否かを判定する（ステップＳ５２）。このステップは、図５のステップＳ２８と同様であり、ここでは、詳細な説明を省略する。
【００９２】
次に、撮影時にＤＲ（ダイナミックレンジ）拡大が行われたか否かを判定する（ステップＳ５４）。このステップは、図５のステップＳ３０と同様であり、ここでは、詳細な説明を省略する。
【００９３】
ステップＳ５２〜Ｓ５４にてＢＬＤ制御を有効化すると判定された場合（ステップＳ５２でＮｏかつステップＳ５４でＹｅｓの場合）には、ステップＳ５６〜Ｓ６０が行われ、ＢＬＤ制御を無効化すると決定された場合（ステップＳ５２でＹｅｓまたはステップＳ５４でＮｏの場合）には、ステップＳ６２が行われる。
【００９４】
ステップＳ５６では、画像ファイルのヘッダに、画像表示時にバックライトローカルディミングを実行することを示すＢＬＤ制御タグを書き込む。即ち、ＢＬＤ制御タグをオンする。
【００９５】
ステップＳ５８では、平均輝度及びコントラスト拡大情報を求める。
【００９６】
ここで、平均輝度は、ＢＬＤを実行するときのバックライトユニット１６ｂの全発光エリアにおけるバックライト輝度の平均を示す情報である。本例のＣＰＵ１０は、平均輝度を、画像ファイルを構成する画像に基づいて、算出する。例えば、画像の全画像エリアの輝度値の平均を算出し、その算出された平均を平均輝度として用いる。
【００９７】
コントラスト拡大情報は、ＢＬＤを実行するときのコントラスト拡大の程度を示す情報である。例えば、ＢＬＤ非実行時のコントラストとＢＬＤ実行時のコントラストとの比を示すコントラスト拡大率を用いる。ただし、コントラスト拡大情報は、詳細な数値（例えば％単位）で表現しなくてもよく、例えば、複数段階（例えば大、中、小の３段階）で表してもよい。本例の制御部５０は、コントラスト拡大情報を、撮影条件又は撮影モード（例えば、シーンポジションの種類）に基づいて、求める。例えば、夜景撮影モード、風景撮影モード等のＢＬＤを実行すべきシーンポジションで撮影した場合、そのシーンポジションごとに好ましいコントラスト拡大情報を決定する。
【００９８】
ステップＳ６０では、算出された平均輝度及びコントラスト拡大情報を、画像ファイルのヘッダ（タグ情報）に書き込む。
【００９９】
ステップＳ６２では、画像ファイルのヘッダに、画像表示時にバックライトローカルディミングを実行しないことを示す情報（ＢＬＤオフ）を、ＢＬＤ制御タグとして書き込む。
【０１００】
ステップＳ６４では、画像及びヘッダ（タグ情報）を記録媒体に記録する。
【０１０１】
以上、デジタルカメラ５０がＢＬＤ機能を有した表示手段を備えた場合を例に説明したが、デジタルカメラ５０の表示手段がＢＬＤ機能を有しない場合も、本発明に含まれる。
【０１０２】
また、デジタルカメラ５０を例に撮影装置としての携帯型電子機器を説明してきたが、携帯型電子機器の構成はこれに限定されない。本発明を適用するその他の携帯型電子機器としては、例えば、内蔵型又は外付け型のＰＣ用カメラ、或いは、以下に説明するような、撮影機能を有する携帯端末装置とすることができる。
【０１０３】
本発明に係る携帯型電子機器の第２の実施形態である携帯端末装置としては、例えば、携帯電話機やスマートフォン、PDA(Personal Digital Assistants)、携帯型ゲーム機が挙げられる。以下、スマートフォンを例に挙げ、図面を参照しつつ、詳細に説明する。
【０１０４】
＜スマートフォンの構成＞
図１１は、本発明に係る携帯型電子機器の他の実施形態であるスマートフォン５００の外観を示すものである。図１１に示すスマートフォン５００は、平板状の筐体５０２を有し、筐体５０２の一方の面に表示部としての表示パネル５２１と、入力部としての操作パネル５２２とが一体となった表示入力部５２０を備えている。また、筐体５０２は、スピーカ５３１と、マイクロホン５３２、操作部５４０と、カメラ部５４１とを備えている。なお、筐体５０２の構成はこれに限定されず、例えば、表示部と入力部とが独立した構成を採用したり、折り畳み構造やスライド機構を有する構成を採用することもできる。
【０１０５】
図１２は、図１１に示すスマートフォン５００の構成を示すブロック図である。図１２に示すように、スマートフォンの主たる構成要素として、無線通信部５１０と、表示入力部５２０と、通話部５３０と、操作部５４０と、カメラ部５４１と、記憶部５５０と、外部入出力部５６０と、ＧＰＳ(Global Positioning System)受信部５７０と、モーションセンサ部５８０と、電源部５９０と、主制御部５０１とを備える。また、スマートフォン５００の主たる機能として、基地局装置ＢＳと移動通信網ＮＷとを介した移動無線通信を行う無線通信機能を備える。
【０１０６】
無線通信部５１０は、主制御部５０１の指示にしたがって、移動通信網ＮＷに収容された基地局装置ＢＳに対し無線通信を行うものである。この無線通信を使用して、音声データ、画像データ等の各種ファイルデータ、電子メールデータなどの送受信や、Ｗｅｂデータやストリーミングデータなどの受信を行う。
【０１０７】
表示入力部５２０は、主制御部５０１の制御により、画像（静止画像および動画像）や文字情報などを表示して視覚的にユーザに情報を伝達するとともに、表示した情報に対するユーザ操作を検出する、いわゆる操作パネルであって、表示パネル５２１と、操作パネル５２２とを備える。
【０１０８】
表示パネル５２１は、LCD(Liquid Crystal Display)などを表示デバイスとして用いたものである。操作パネル５２２は、表示パネル５２１の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部５０１に出力する。次いで、主制御部５０１は、受信した検出信号に基づいて、表示パネル５２１上の操作位置（座標）を検出する。
【０１０９】
本実施形態の表示パネル５２１は、主制御部５０１の制御により、ＢＬＤ（バックライドローカルディミング）を実行可能である。
【０１１０】
図１１に示すように、スマートフォン５００の表示パネル５２１と操作パネル５２２とは一体となって表示入力部５２０を構成しているが、操作パネル５２２が表示パネル５２１を完全に覆うような配置となっている。この配置を採用した場合、操作パネル５２２は、表示パネル５２１外の領域についても、ユーザ操作を検出する機能を備えてもよい。換言すると、操作パネル５２２は、表示パネル５２１に重なる重畳部分についての検出領域（以下、表示領域と称する）と、それ以外の表示パネル５２１に重ならない外縁部分についての検出領域（以下、非表示領域と称する）とを備えていてもよい。
【０１１１】
なお、表示領域の大きさと表示パネル５２１の大きさとを完全に一致させても良いが、両者を必ずしも一致させる必要は無い。また、操作パネル５２２が、外縁部分と、それ以外の内側部分の２つの感応領域を備えていてもよい。更に、外縁部分の幅は、筐体５０２の大きさなどに応じて適宜設計されるものである。更にまた、操作パネル５２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０１１２】
通話部５３０は、スピーカ５３１やマイクロホン５３２を備え、マイクロホン５３２を通じて入力されたユーザの音声を主制御部５０１にて処理可能な音声データに変換して主制御部５０１に出力したり、無線通信部５１０あるいは外部入出力部５６０により受信された音声データを復号してスピーカ５３１から出力するものである。また、例えば、スピーカ５３１を表示入力部５２０が設けられた面と同じ面に搭載し、マイクロホン５３２を筐体５０２の側面に搭載することができる。
【０１１３】
操作部５４０は、キースイッチなどを用いたハードウェアキーであって、ユーザからの指示を受け付けるものである。例えば、図１１に示すように、操作部５４０は、スマートフォン５００の筐体５０２の表示部の下部、下側面に搭載され、指などで押下されるとオンとなり、指を離すとバネなどの復元力によってオフ状態となる押しボタン式のスイッチである。
【０１１４】
記憶部５５０は、主制御部５０１の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部５５０は、スマートフォン内蔵の内部記憶部５５１と着脱自在な外部メモリスロットを有する外部記憶部５５２により構成される。なお、記憶部５５０を構成するそれぞれの内部記憶部５５１と外部記憶部５５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの格納媒体を用いて実現される。
【０１１５】
外部入出力部５６０は、スマートフォン５００に連結される全ての外部機器とのインターフェースの役割を果たすものであり、他の外部機器に通信等（例えば、ユニバーサルシリアルバス（ＵＳＢ）、IEEE1394など）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【０１１６】
スマートフォン５００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるPDA、有／無線接続されるパーソナルコンピュータ、イヤホンなどがある。外部入出力部は、このような外部機器から伝送を受けたデータをスマートフォン５００の内部の各構成要素に伝達することや、スマートフォン５００の内部のデータが外部機器に伝送されるようにすることができる。
【０１１７】
ＧＰＳ受信部５７０は、主制御部５０１の指示にしたがって、GPS衛星ＳＴ１〜ＳＴｎから送信されるGPS信号を受信し、受信した複数のGPS信号に基づく測位演算処理を実行し、当該スマートフォン５００の緯度、経度、高度からなる位置を検出する。ＧＰＳ受信部５７０は、無線通信部５１０や外部入出力部５６０（例えば、無線ＬＡＮ）から位置情報を取得できる時には、その位置情報を用いて位置を検出することもできる。
【０１１８】
モーションセンサ部５８０は、例えば、３軸の加速度センサなどを備え、主制御部５０１の指示にしたがって、スマートフォン５００の物理的な動きを検出する。スマートフォン５００の物理的な動きを検出することにより、スマートフォン５００の動く方向や加速度が検出される。この検出結果は、主制御部５０１に出力されるものである。
【０１１９】
電源部５９０は、主制御部５０１の指示にしたがって、スマートフォン５００の各部に、バッテリ（図示しない）に蓄えられる電力を供給するものである。
【０１２０】
主制御部５０１は、マイクロプロセッサを備え、記憶部５５０が記憶する制御プログラムや制御データにしたがって動作し、スマートフォン５００の各部を統括して制御するものである。また、主制御部５０１は、無線通信部５１０を通じて、音声通信やデータ通信を行うために、通信系の各部を制御する移動通信制御機能と、アプリケーション処理機能を備える。
【０１２１】
本実施形態の主制御部５０１は、図４に示した画像ファイルを生成する機能を有しており、画像に、シーンポジション、ＤＲ拡大率、ＢＬＤ制御、平均輝度、コントラスト拡大情報等の各種のタグ情報を付加する機能を有している。また、主制御部５０１は、表示パネル５２１のＢＬＤを制御する機能を有している。主制御部５０１は、プログラムに従い、図１０に示した撮影処理、及び図５に示した表示処理を実行可能である。
【０１２２】
アプリケーション処理機能は、記憶部５５０が記憶するアプリケーションソフトウェアにしたがって主制御部５０１が動作することにより実現するものである。アプリケーション処理機能としては、例えば、外部入出力部５６０を制御して対向機器とデータ通信を行う赤外線通信機能や、電子メールの送受信を行う電子メール機能、Webページを閲覧するWebブラウジング機能などがある。
【０１２３】
また、主制御部５０１は、受信データやダウンロードしたストリーミングデータなどの画像データ（静止画像や動画像のデータ）に基づいて、映像を表示入力部５２０に表示する等の画像処理機能を備える。画像処理機能とは、主制御部５０１が、上記画像データを復号し、この復号結果に画像処理を施して、画像を表示入力部５２０に表示する機能のことをいう。
【０１２４】
更に、主制御部５０１は、表示パネル５２１に対する表示制御と、操作部５４０、操作パネル５２２を通じたユーザ操作を検出する操作検出制御を実行する。
【０１２５】
表示制御の実行により、主制御部５０１は、アプリケーションソフトウェアを起動するためのアイコンや、スクロールバーなどのソフトウェアキーを表示したり、あるいは電子メールを作成するためのウィンドウを表示する。なお、スクロールバーとは、表示パネル２１の表示領域に収まりきれない大きな画像などについて、画像の表示部分を移動する指示を受け付けるためのソフトウェアキーのことをいう。
【０１２６】
また、操作検出制御の実行により、主制御部５０１は、操作部５４０を通じたユーザ操作を検出したり、操作パネル５２２を通じて、上記アイコンに対する操作や、上記ウィンドウの入力欄に対する文字列の入力を受け付けたり、あるいは、スクロールバーを通じた表示画像のスクロール要求を受け付ける。
【０１２７】
更に、操作検出制御の実行により主制御部５０１は、操作パネル５２２に対する操作位置が、表示パネル５２１に重なる重畳部分（表示領域）か、それ以外の表示パネル５２１に重ならない外縁部分（非表示領域）かを判定し、操作パネル５２２の感応領域や、ソフトウェアキーの表示位置を制御する操作パネル制御機能を備える。
【０１２８】
また、主制御部５０１は、操作パネル５２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【０１２９】
カメラ部５４１は、CMOS(Complementary Metal Oxide Semiconductor)やCCD(Charge-Coupled Device)などの撮像素子を用いて電子撮影するデジタルカメラである。また、カメラ部５４１は、主制御部５０１の制御により、撮像によって得た画像データを例えばJPEG(Joint Photographic coding Experts Group)などの圧縮した画像データに変換し、記憶部５５０に記録したり、外部入出力部５６０や無線通信部５１０を通じて出力することができる。図１１に示すようにスマートフォン５００において、カメラ部５４１は表示入力部５２０と同じ面に搭載されているが、カメラ部５４１の搭載位置はこれに限らず、表示入力部５２０の背面に搭載されてもよいし、あるいは、複数のカメラ部５４１が搭載されてもよい。なお、複数のカメラ部５４１が搭載されている場合には、撮影に供するカメラ部５４１を切り替えて単独にて撮影したり、あるいは、複数のカメラ部５４１を同時に使用して撮影することもできる。
【０１３０】
本実施形態のカメラ部５４１は、広ＤＲ（ダイナミックレンジ）画像を生成する機能を有している。
【０１３１】
また、カメラ部５４１はスマートフォン５００の各種機能に利用することができる。例えば、表示パネル５２１にカメラ部５４１で取得した画像を表示することや、操作パネル５２２の操作入力のひとつとして、カメラ部５４１の画像を利用することができる。また、ＧＰＳ受信部５７０が位置を検出する際に、カメラ部５４１からの画像を参照して位置を検出することもできる。更には、カメラ部５４１からの画像を参照して、３軸の加速度センサを用いずに、或いは、３軸の加速度センサと併用して、スマートフォン５００のカメラ部５４１の光軸方向を判断することや、現在の使用環境を判断することもできる。勿論、カメラ部５４１からの画像をアプリケーションソフトウェア内で利用することもできる。
【０１３２】
その他、静止画又は動画の画像データにＧＰＳ受信部５７０により取得した位置情報、マイクロホン５３２により取得した音声情報（主制御部等により、音声テキスト変換を行ってテキスト情報となっていてもよい）、モーションセンサ部５８０により取得した姿勢情報等などを付加して記憶部５５０に記録したり、外部入出力部５６０や無線通信部５１０を通じて出力することもできる。
【０１３３】
なお、本発明は、本明細書において説明した例や図面に図示された例には限定されず、本発明の要旨を逸脱しない範囲において、各種の設計変更や改良を行ってよいのはもちろんである。
【符号の説明】
【０１３４】
１：画像表示装置、１０：ＣＰＵ、１２：メモリ、１４：操作部、１６：ＬＣＤ表示部、１６ａ：ＬＣＤパネル、１６ｂ：バックライトユニット、２０：映像信号生成部、２２：ＬＣＤ画質パラメータ生成部、２４：ＬＣＤ制御部、２６：ＬＣＤ駆動部、２８…バックライト制御信号生成部、３０：ＬＥＤドライバ、３２：画像ストレージ、３４：タグ情報解析部、５０：デジタルカメラ、７２：撮影部、７４：記録制御部
【図１】
2013140958.tif 000003
【図３】
2013140958.tif 000004
【図４】
2013140958.tif 000005
【図５】
2013140958.tif 000006
【図６】
2013140958.tif 000007
【図７】
2013140958.tif 000008
【図９】
2013140958.tif 000009
【図１０】
2013140958.tif 000010
【図１１】
2013140958.tif 000011
【図１２】
2013140958.tif 000012
【図２】
2013140958.tif 000013
【図８】
2013140958.tif 000014
【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
（削除）
【請求項２】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイル取得手段によって取得された前記画像ファイルの前記タグ情報に、前記バックライトユニットの前記バックライトローカルディミングを実行するか非実行にするかを示す制御情報が存在するか否かを判定し、
前記制御手段は、前記画像ファイルの前記タグ情報に前記バックライトローカルディミングの前記制御情報が存在し、かつ、該制御情報が前記バックライトローカルディミングの実行を示す場合には、前記画像ファイルの前記画像の前記画像エリアごとの輝度を検出して前記バックライトローカルディミングを実行し、前記画像ファイルの前記タグ情報に前記バックライトローカルディミングの前記制御情報が存在し、かつ、該制御情報が前記バックライトローカルディミングの非実行を示す場合には、前記画像ファイルの前記画像の全体でバックライト輝度を均一にする制御を行う画像表示装置。
【請求項３】
前記タグ情報解析手段は、前記画像ファイル取得手段によって取得された前記画像ファイルの前記タグ情報から、前記撮影装置にて前記画像の撮影時に選択されていた撮影モードの情報を抽出し、
前記制御手段は、前記画像ファイルの前記タグ情報に前記バックライトローカルディミングの前記制御情報が存在しない場合、前記タグ情報解析手段によって抽出された前記撮影モードの情報に基づいて、前記バックライトローカルディミングを実行するか非実行にするかを切り替える制御を行う請求項２に記載の画像表示装置。
【請求項４】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイル取得手段によって取得された前記画像ファイルの前記タグ情報から、前記撮影装置にて前記画像の撮影時に選択されていた撮影モードの情報を抽出し、
前記制御手段は、前記タグ情報解析手段によって抽出された前記撮影モードの情報に基づいて、前記バックライトローカルディミングを実行するか非実行にするかを切り替える画像表示装置。
【請求項５】
前記画像ファイルの前記画像は、第１の撮影画像と、前記第１の撮影画像に対して低感度または低露光で撮影された第２の画像とにより生成された広ダイナミックレンジの画像であって、前記撮影モードの情報は、前記画像のダイナミックレンジの拡大の程度または前記画像が前記広ダイナミックレンジの画像であるか否かを示すダイナミックレンジ拡大情報であり、
前記制御手段は、前記ダイナミックレンジ拡大情報に基づいて、前記バックライトローカルディミングを実行するか否かを切り替える請求項３または４に記載の画像表示装置。
【請求項６】
前記撮影モードの情報は、前記撮影装置で撮影時に選択された撮影シーンまたは露出制御を示すシーンポジション情報を含み、
前記制御手段は、前記シーンポジション情報に基づいて、前記バックライトローカルディミングを実行するか否かを切り替える請求項３から５のいずれか１項に記載の画像表示装置。
【請求項７】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイルの前記タグ情報から、前記バックライトローカルディミングを実行するときの前記バックライトユニットの全発光エリアにおけるバックライト輝度の平均を示す情報を抽出し、
前記制御手段は、前記タグ情報解析手段によって抽出された前記バックライト輝度の平均を示す情報に応じて、前記バックライトユニットの全発光エリアにおける平均輝度を制御する画像表示装置。
【請求項８】
前記制御手段は、前記画像ファイルの前記タグ情報に前記バックライト輝度の平均値を示す情報が存在しない場合、前記撮影装置にて撮影時に選択されていた撮影モードの情報に応じて、前記バックライトユニットの全発光エリアにおける平均輝度を制御する請求項７に記載の画像表示装置。
【請求項９】
前記タグ情報解析手段は、前記画像ファイルの前記タグ情報から、前記バックライトローカルディミングを実行するときのコントラスト拡大の程度を示す情報を抽出し、
前記制御手段は、前記画像ファイルの前記タグ情報から抽出された前記コントラスト拡大の程度を示す情報に基づいて、前記バックライトユニットの最大のバックライト輝度と最小のバックライト輝度との差を制御する請求項７または８に記載の画像表示装置。
【請求項１０】
前記制御手段は、前記画像ファイルの前記タグ情報に前記コントラスト拡大の程度を示す情報が存在しない場合、前記撮影装置にて撮影時に選択された撮影モードの情報に応じて、前記バックライトユニットの最大のバックライト輝度と最小のバックライト輝度との差を制御する請求項９に記載の画像表示装置。
【請求項１１】
請求項２から１０のいずれか１項に記載の画像表示装置及び前記撮影装置を含む画像表示システム。
【請求項１２】
請求項１１に記載の画像表示システムを構成する前記撮影装置であって、
撮影指示の入力を受け付ける操作手段と、
前記撮影指示が入力されると被写体を撮影して前記画像を生成する撮影手段と、
前記被写体の撮影時の撮影条件に基づいて、前記バックライトユニットの前記バックライトローカルディミングを実行するか非実行にするかを判定して、前記バックライトローカルディミングを実行するか非実行にするかを示す制御情報を生成し、該制御情報を含む前記タグ情報を前記画像に付加し、前記画像及び前記タグ情報を含む前記画像ファイルを記録媒体に記録する記録手段と、
を備えた撮影装置。
【請求項１３】
撮影装置にて生成された画像と、前記撮影装置にて前記画像に付加されたタグ情報とを含む画像ファイルを取得する画像ファイル取得手段と、前記画像ファイル取得手段によって取得された前記画像ファイルの前記画像を表示する透過型表示パネルと、前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、を用いて行う画像表示方法であって、
前記画像ファイル取得手段によって取得された前記画像ファイルの前記タグ情報を解析するタグ情報解析ステップと、
前記画像ファイルの前記タグ情報の解析結果に基づいて、前記バックライトユニットの前記バックライトローカルディミングを実行するか非実行にするかを判定するステップと、
前記バックライトローカルディミングを実行すると判定した場合には、前記画像ファイルの前記画像の前記発光エリアに対応して分割された画像エリアごとの輝度を検出するステップと、
前記バックライトローカルディミングを実行すると判定した場合には、前記検出された前記画像エリアごとの輝度に基づいて、前記バックライトユニットの分割された前記発光エリアごとに前記バックライト輝度を設定するステップと、
前記バックライトローカルディミングを非実行にすると判定した場合には、前記画像ファイルの前記画像の全体でバックライト輝度を均一にするステップと、を備え、
前記タグ情報解析ステップは、前記画像ファイル取得手段によって取得された前記画像ファイルの前記タグ情報から、前記撮影装置にて前記画像の撮影時に選択されていた撮影モードの情報を抽出し、
前記タグ情報解析ステップによって抽出された前記撮影モードの情報に基づいて、前記バックライトローカルディミングを実行するか非実行にするかを切り替える画像表示方法。
【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイル取得手段によって取得された前記画像ファイルの前記タグ情報に、前記バックライトユニットの前記バックライトローカルディミングを実行するか非実行にするかを示す制御情報が存在するか否かを判定し、かつ、前記タグ情報から、前記撮影装置にて前記画像の撮影時に選択されていた撮影モードの情報を抽出し、
前記制御手段は、前記画像ファイルの前記タグ情報に前記バックライトローカルディミングの前記制御情報が存在し、かつ、該制御情報が前記バックライトローカルディミングの実行を示す場合には、前記画像ファイルの前記画像の前記画像エリアごとの輝度を検出して前記バックライトローカルディミングを実行し、前記画像ファイルの前記タグ情報に前記バックライトローカルディミングの前記制御情報が存在し、かつ、該制御情報が前記バックライトローカルディミングの非実行を示す場合には、前記画像ファイルの前記画像の全体でバックライト輝度を均一にする制御を行い、前記画像ファイルの前記タグ情報に前記バックライトローカルディミングの前記制御情報が存在しない場合、前記タグ情報解析手段によって抽出された前記撮影モードの情報に基づいて、前記バックライトローカルディミングを実行するか非実行にするかを切り替える制御を行う画像表示装置。
【請求項４】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイル取得手段によって取得された前記画像ファイルの前記タグ情報から、前記撮影装置にて前記画像の撮影時に選択されていた撮影モードの情報を抽出し、
前記制御手段は、前記タグ情報解析手段によって抽出された前記撮影モードの情報に基づいて、前記バックライトローカルディミングを実行するか非実行にするかを切り替える画像表示装置。
【請求項５】
前記画像ファイルの前記画像は、第１の撮影画像と、前記第１の撮影画像に対して低感度または低露光で撮影された第２の画像とにより生成された広ダイナミックレンジの画像であって、前記撮影モードの情報は、前記画像のダイナミックレンジの拡大の程度または前記画像が前記広ダイナミックレンジの画像であるか否かを示すダイナミックレンジ拡大情報であり、
前記制御手段は、前記ダイナミックレンジ拡大情報に基づいて、前記バックライトローカルディミングを実行するか否かを切り替える請求項３または４に記載の画像表示装置。
【請求項６】
前記撮影モードの情報は、前記撮影装置で撮影時に選択された撮影シーンまたは露出制御を示すシーンポジション情報を含み、
前記制御手段は、前記シーンポジション情報に基づいて、前記バックライトローカルディミングを実行するか否かを切り替える請求項３から５のいずれか１項に記載の画像表示装置。
【請求項７】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイルの前記タグ情報から、前記バックライトローカルディミングを実行するときの前記バックライトユニットの全発光エリアにおけるバックライト輝度の平均を示す情報を抽出し、
前記制御手段は、前記タグ情報解析手段によって抽出された前記バックライト輝度の平均を示す情報に応じて、前記バックライトユニットの全発光エリアにおける平均輝度を制御する画像表示装置。
【請求項８】
前記制御手段は、前記画像ファイルの前記タグ情報に前記バックライト輝度の平均値を示す情報が存在しない場合、前記撮影装置にて撮影時に選択されていた撮影モードの情報に応じて、前記バックライトユニットの全発光エリアにおける平均輝度を制御する請求項７に記載の画像表示装置。
【請求項９】
前記タグ情報解析手段は、前記画像ファイルの前記タグ情報から、前記バックライトローカルディミングを実行するときのコントラスト拡大の程度を示す情報を抽出し、
前記制御手段は、前記画像ファイルの前記タグ情報から抽出された前記コントラスト拡大の程度を示す情報に基づいて、前記バックライトユニットの最大のバックライト輝度と最小のバックライト輝度との差を制御する請求項７または８に記載の画像表示装置。
【請求項１０】
前記制御手段は、前記画像ファイルの前記タグ情報に前記コントラスト拡大の程度を示す情報が存在しない場合、前記撮影装置にて撮影時に選択された撮影モードの情報に応じて、前記バックライトユニットの最大のバックライト輝度と最小のバックライト輝度との差を制御する請求項９記載の画像表示装置。
【請求項１１】
請求項３から１０のいずれか１項に記載の画像表示装置及び前記撮影装置を含む画像表示システム。
【請求項１２】
請求項１１に記載の画像表示システムを構成する前記撮影装置であって、
撮影指示の入力を受け付ける操作手段と、
前記撮影指示が入力されると被写体を撮影して前記画像を生成する撮影手段と、
前記被写体の撮影時の撮影条件に基づいて、前記バックライトユニットの前記バックライトローカルディミングを実行するか非実行にするかを判定して、前記バックライトローカルディミングを実行するか非実行にするかを示す制御情報を生成し、該制御情報を含む前記タグ情報を前記画像に付加し、前記画像及び前記タグ情報を含む前記画像ファイルを記録媒体に記録する記録手段と、
を備えた撮影装置。
【請求項１３】
撮影装置にて生成された画像と、前記撮影装置にて前記画像に付加されたタグ情報とを含む画像ファイルを取得する画像ファイル取得手段と、前記画像ファイル取得手段によって取得された前記画像ファイルの前記画像を表示する透過型表示パネルと、前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、を用いて行う画像表示方法であって、
前記画像ファイル取得手段によって取得された前記画像ファイルの前記タグ情報を解析するタグ情報解析ステップと、
前記画像ファイルの前記タグ情報の解析結果に基づいて、前記バックライトユニットの前記バックライトローカルディミングを実行するか非実行にするかを判定するステップと、
前記バックライトローカルディミングを実行すると判定した場合には、前記画像ファイルの前記画像の前記発光エリアに対応して分割された画像エリアごとの輝度を検出するステップと、
前記バックライトローカルディミングを実行すると判定した場合には、前記検出された前記画像エリアごとの輝度に基づいて、前記バックライトユニットの分割された前記発光エリアごとに前記バックライト輝度を設定するステップと、
前記バックライトローカルディミングを非実行にすると判定した場合には、前記画像ファイルの前記画像の全体でバックライト輝度を均一にするステップと、を備え、
前記タグ情報解析ステップは、前記画像ファイル取得手段によって取得された前記画像ファイルの前記タグ情報から、前記撮影装置にて前記画像の撮影時に選択されていた撮影モードの情報を抽出し、
前記タグ情報解析ステップによって抽出された前記撮影モードの情報に基づいて、前記バックライトローカルディミングを実行するか非実行にするかを切り替える画像表示方法。
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイル取得手段によって取得された前記画像ファイルの前記タグ情報に、前記バックライトユニットの前記バックライトローカルディミングを実行するか非実行にするかを示す制御情報が存在するか否かを判定し、かつ、前記タグ情報から、前記撮影装置にて前記画像の撮影時に選択されていた撮影モードの情報を抽出し、
前記制御手段は、前記画像ファイルの前記タグ情報に前記バックライトローカルディミングの前記制御情報が存在し、かつ、該制御情報が前記バックライトローカルディミングの実行を示す場合には、前記画像ファイルの前記画像の前記画像エリアごとの輝度を検出して前記バックライトローカルディミングを実行し、前記画像ファイルの前記タグ情報に前記バックライトローカルディミングの前記制御情報が存在し、かつ、該制御情報が前記バックライトローカルディミングの非実行を示す場合には、前記画像ファイルの前記画像の全体でバックライト輝度を均一にする制御を行い、前記画像ファイルの前記タグ情報に前記バックライトローカルディミングの前記制御情報が存在しない場合、前記タグ情報解析手段によって抽出された前記撮影モードの情報に基づいて、前記バックライトローカルディミングを実行するか非実行にするかを切り替える制御を行う画像表示装置。
【請求項２】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイル取得手段によって取得された前記画像ファイルの前記タグ情報から、前記撮影装置にて前記画像の撮影時に選択されていた撮影モードの情報を抽出し、
前記制御手段は、前記タグ情報解析手段によって抽出された前記撮影モードの情報に基づいて、前記バックライトローカルディミングを実行するか非実行にするかを切り替える画像表示装置。
【請求項３】
前記画像ファイルの前記画像は、第１の撮影画像と、前記第１の撮影画像に対して低感度または低露光で撮影された第２の画像とにより生成された広ダイナミックレンジの画像であって、前記撮影モードの情報は、前記画像のダイナミックレンジの拡大の程度または前記画像が前記広ダイナミックレンジの画像であるか否かを示すダイナミックレンジ拡大情報であり、
前記制御手段は、前記ダイナミックレンジ拡大情報に基づいて、前記バックライトローカルディミングを実行するか否かを切り替える請求項１または２に記載の画像表示装置。
【請求項４】
前記撮影モードの情報は、前記撮影装置で撮影時に選択された撮影シーンまたは露出制御を示すシーンポジション情報を含み、
前記制御手段は、前記シーンポジション情報に基づいて、前記バックライトローカルディミングを実行するか否かを切り替える請求項１から３のいずれか１項に記載の画像表示装置。
【請求項５】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイルの前記タグ情報から、前記バックライトローカルディミングを実行するときの前記バックライトユニットの全発光エリアにおけるバックライト輝度の平均を示す情報を抽出し、
前記制御手段は、前記タグ情報解析手段によって抽出された前記バックライト輝度の平均を示す情報に応じて、前記バックライトユニットの全発光エリアにおける平均輝度を制御する画像表示装置。
【請求項６】
前記制御手段は、前記画像ファイルの前記タグ情報に前記バックライト輝度の平均値を示す情報が存在しない場合、前記撮影装置にて撮影時に選択されていた撮影モードの情報に応じて、前記バックライトユニットの全発光エリアにおける平均輝度を制御する請求項５に記載の画像表示装置。
【請求項７】
前記タグ情報解析手段は、前記画像ファイルの前記タグ情報から、前記バックライトローカルディミングを実行するときのコントラスト拡大の程度を示す情報を抽出し、
前記制御手段は、前記画像ファイルの前記タグ情報から抽出された前記コントラスト拡大の程度を示す情報に基づいて、前記バックライトユニットの最大のバックライト輝度と最小のバックライト輝度との差を制御する請求項５または６に記載の画像表示装置。
【請求項８】
前記制御手段は、前記画像ファイルの前記タグ情報に前記コントラスト拡大の程度を示す情報が存在しない場合、前記撮影装置にて撮影時に選択された撮影モードの情報に応じて、前記バックライトユニットの最大のバックライト輝度と最小のバックライト輝度との差を制御する請求項７に記載の画像表示装置。
【請求項９】
請求項１から８のいずれか１項に記載の画像表示装置及び前記撮影装置を含む画像表示システム。
【請求項１０】
請求項９に記載の画像表示システムを構成する前記撮影装置であって、
撮影指示の入力を受け付ける操作手段と、
前記撮影指示が入力されると被写体を撮影して前記画像を生成する撮影手段と、
前記被写体の撮影時の撮影条件に基づいて、前記バックライトユニットの前記バックライトローカルディミングを実行するか非実行にするかを判定して、前記バックライトローカルディミングを実行するか非実行にするかを示す制御情報を生成し、該制御情報を含む前記タグ情報を前記画像に付加し、前記画像及び前記タグ情報を含む前記画像ファイルを記録媒体に記録する記録手段と、
を備えた撮影装置。
【請求項１１】
撮影装置にて生成された画像と、前記撮影装置にて前記画像に付加されたタグ情報とを含む画像ファイルを取得する画像ファイル取得手段と、前記画像ファイル取得手段によって取得された前記画像ファイルの前記画像を表示する透過型表示パネルと、前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、を用いて行う画像表示方法であって、
前記画像ファイル取得手段によって取得された前記画像ファイルの前記タグ情報を解析するタグ情報解析ステップと、
前記画像ファイルの前記タグ情報の解析結果に基づいて、前記バックライトユニットの前記バックライトローカルディミングを実行するか非実行にするかを判定するステップと、
前記バックライトローカルディミングを実行すると判定した場合には、前記画像ファイルの前記画像の前記発光エリアに対応して分割された画像エリアごとの輝度を検出するステップと、
前記バックライトローカルディミングを実行すると判定した場合には、前記検出された前記画像エリアごとの輝度に基づいて、前記バックライトユニットの分割された前記発光エリアごとに前記バックライト輝度を設定するステップと、
前記バックライトローカルディミングを非実行にすると判定した場合には、前記画像ファイルの前記画像の全体でバックライト輝度を均一にするステップと、を備え、
前記タグ情報解析ステップは、前記画像ファイル取得手段によって取得された前記画像ファイルの前記タグ情報から、前記撮影装置にて前記画像の撮影時に選択されていた撮影モードの情報を抽出し、
前記タグ情報解析ステップによって抽出された前記撮影モードの情報に基づいて、前記バックライトローカルディミングを実行するか非実行にするかを切り替える画像表示方法。
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイル取得手段によって取得された前記画像ファイルの前記タグ情報に、前記バックライトユニットの前記バックライトローカルディミングを実行するか非実行にするかを示す制御情報が存在するか否かを判定し、かつ、前記タグ情報から、前記撮影装置にて前記画像の撮影時に選択されていた撮影モードの情報を抽出し、
前記制御手段は、前記画像ファイルの前記タグ情報に前記バックライトローカルディミングの前記制御情報が存在し、かつ、該制御情報が前記バックライトローカルディミングの実行を示す場合には、前記画像ファイルの前記画像の前記画像エリアごとの輝度を検出して前記バックライトローカルディミングを実行し、前記画像ファイルの前記タグ情報に前記バックライトローカルディミングの前記制御情報が存在し、かつ、該制御情報が前記バックライトローカルディミングの非実行を示す場合には、前記画像ファイルの前記画像の全体でバックライト輝度を均一にする制御を行い、前記画像ファイルの前記タグ情報に前記バックライトローカルディミングの前記制御情報が存在しない場合、前記タグ情報解析手段によって抽出された前記撮影モードの情報に基づいて、前記バックライトローカルディミングを実行するか非実行にするかを切り替える制御を行う画像表示装置。
【請求項２】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイル取得手段によって取得された前記画像ファイルの前記タグ情報から、前記撮影装置にて前記画像の撮影時に選択されていた撮影モードの情報を抽出し、
前記制御手段は、前記タグ情報解析手段によって抽出された前記撮影モードの情報に基づいて、前記バックライトローカルディミングを実行するか非実行にするかを切り替える画像表示装置。
【請求項３】
前記画像ファイルの前記画像は、第１の撮影画像と、前記第１の撮影画像に対して低感度または低露光で撮影された第２の画像とにより生成された広ダイナミックレンジの画像であって、前記撮影モードの情報は、前記画像のダイナミックレンジの拡大の程度または前記画像が前記広ダイナミックレンジの画像であるか否かを示すダイナミックレンジ拡大情報であり、
前記制御手段は、前記ダイナミックレンジ拡大情報に基づいて、前記バックライトローカルディミングを実行するか否かを切り替える請求項１または２に記載の画像表示装置。
【請求項４】
前記撮影モードの情報は、前記撮影装置で撮影時に選択された撮影シーンまたは露出制御を示すシーンポジション情報を含み、
前記制御手段は、前記シーンポジション情報に基づいて、前記バックライトローカルディミングを実行するか否かを切り替える請求項１から３のいずれか１項に記載の画像表示装置。
【請求項５】
撮影装置にて生成された画像と、前記撮影装置にて前記画像に付加されたタグ情報とを含む画像ファイルを取得する画像ファイル取得手段と、
前記画像ファイル取得手段によって取得された前記画像ファイルの前記画像を表示する透過型表示パネルと、
前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、
前記画像ファイル取得手段によって取得された前記画像ファイルの前記タグ情報を解析するタグ情報解析手段と、
前記タグ情報解析手段による前記画像ファイルの前記タグ情報の解析結果に基づいて、前記バックライトユニットの前記バックライトローカルディミングを実行するか非実行にするかを判定し、前記バックライトローカルディミングを実行すると判定した場合には、前記画像ファイルの前記画像の前記発光エリアに対応して分割された画像エリアごとの輝度を検出し、該検出された画像エリアごとの輝度に基づいて、前記バックライトユニットの分割された前記発光エリアごとに前記バックライト輝度を設定し、前記バックライトローカルディミングを非実行にすると判定した場合には、前記画像ファイルの前記画像の全体でバックライト輝度を均一にする制御を行う制御手段と、を備え、
前記タグ情報解析手段は、前記画像ファイルの前記タグ情報から、前記バックライトローカルディミングを実行するときの前記バックライトユニットの全発光エリアにおけるバックライト輝度の平均を示す情報を抽出し、
前記制御手段は、前記バックライトローカルディミングを実行する場合に、前記タグ情報解析手段によって抽出された前記バックライト輝度の平均を示す情報に応じて、前記バックライトユニットの全発光エリアにおける平均輝度を制御する画像表示装置。
【請求項６】
前記制御手段は、前記バックライトローカルディミングを実行する場合に、前記画像ファイルの前記タグ情報に前記バックライト輝度の平均値を示す情報が存在しない場合、前記撮影装置にて撮影時に選択されていた撮影モードの情報に応じて、前記バックライトユニットの全発光エリアにおける平均輝度を制御する請求項５に記載の画像表示装置。
【請求項７】
前記タグ情報解析手段は、前記画像ファイルの前記タグ情報から、前記バックライトローカルディミングを実行するときのコントラスト拡大の程度を示す情報を抽出し、
前記制御手段は、前記バックライトローカルディミングを実行する場合に、前記画像ファイルの前記タグ情報から抽出された前記コントラスト拡大の程度を示す情報に基づいて、前記バックライトユニットの最大のバックライト輝度と最小のバックライト輝度との差を制御する請求項５または６に記載の画像表示装置。
【請求項８】
前記制御手段は、前記バックライトローカルディミングを実行する場合に、前記画像ファイルの前記タグ情報に前記コントラスト拡大の程度を示す情報が存在しない場合、前記撮影装置にて撮影時に選択された撮影モードの情報に応じて、前記バックライトユニットの最大のバックライト輝度と最小のバックライト輝度との差を制御する請求項７に記載の画像表示装置。
【請求項９】
請求項１から８のいずれか１項に記載の画像表示装置及び前記撮影装置を含む画像表示システム。
【請求項１０】
撮影装置にて生成された画像と、前記撮影装置にて前記画像に付加されたタグ情報とを含む画像ファイルを取得する画像ファイル取得手段と、前記画像ファイル取得手段によって取得された前記画像ファイルの前記画像を表示する透過型表示パネルと、前記透過型表示パネルの背面に配設されたバックライトユニットであって、複数の発光エリアに分割され、該分割された発光エリアごとに前記透過型表示パネルに対するバックライト輝度を設定するバックライトローカルディミングを実行可能なバックライトユニットと、を用いて行う画像表示方法であって、
前記画像ファイル取得手段によって取得された前記画像ファイルの前記タグ情報を解析するタグ情報解析ステップと、
前記画像ファイルの前記タグ情報の解析結果に基づいて、前記バックライトユニットの前記バックライトローカルディミングを実行するか非実行にするかを判定するステップと、
前記バックライトローカルディミングを実行すると判定した場合には、前記画像ファイルの前記画像の前記発光エリアに対応して分割された画像エリアごとの輝度を検出するステップと、
前記バックライトローカルディミングを実行すると判定した場合には、前記検出された前記画像エリアごとの輝度に基づいて、前記バックライトユニットの分割された前記発光エリアごとに前記バックライト輝度を設定するステップと、
前記バックライトローカルディミングを非実行にすると判定した場合には、前記画像ファイルの前記画像の全体でバックライト輝度を均一にするステップと、を備え、
前記タグ情報解析ステップは、前記画像ファイル取得手段によって取得された前記画像ファイルの前記タグ情報から、前記撮影装置にて前記画像の撮影時に選択されていた撮影モードの情報を抽出し、
前記タグ情報解析ステップによって抽出された前記撮影モードの情報に基づいて、前記バックライトローカルディミングを実行するか非実行にするかを切り替える画像表示方法。
【請求項１１】
前記撮影装置の操作手段から撮影指示が入力されると、前記撮影装置により被写体を撮影して前記画像を生成するステップと、
前記撮影装置が、前記被写体の撮影時の撮影条件に基づいて、前記バックライトユニットの前記バックライトローカルディミングを実行するか非実行にするかを判定して、前記バックライトローカルディミングを実行するか非実行にするかを示す制御情報を生成するステップと、
前記撮影装置が、該制御情報を含む前記タグ情報を前記画像に付加し、前記画像及び前記タグ情報を含む前記画像ファイルを記録媒体に記録するステップと、
を更に備える請求項１０記載の画像表示方法。
【国際調査報告】
2013140958.tif 000015
2013140958.tif 000016
2013140958.tif 000017
2013140958.tif 000018